(57)【特許請求の範囲】
【請求項１】
遊技機の入賞装置であって、
入賞した遊技球を振り分ける前置振分け機構と、
前記前置振分け機構の下流に配置されて中央通路を具備する筒状体と前記筒状体の側面に植設された複数の突起とを含む最終振分け機構と、
前記最終振分け機構の下流に設けられた遊技球誘導排出機構と、
前記筒状体の中央通路を選択的に堰き止める堰き止め手段とを含み、
前記筒状体は前記中央通路に連通する横穴を有し、
前記堰き止め手段は、前記横穴に突入自在の堰き止め部材と、前記堰き止め部材を前記横穴に突入せしめる駆動機構と、を含むことを特徴とする遊技機の入賞装置。
【請求項２】
前記筒状体は互いに別体でありかつ互いに揺動自在な上部筒体と下部筒体とからなり、
前記上部筒体を前記下部筒体に対して揺動せしめる揺動機構を含むことを特徴とする請求項１記載の遊技機の入賞装置。
【請求項３】
前記堰き止め部材は先端部に磁石を有し、
前記横穴は前記磁石に吸着した遊技球が通過し得る大きさを有することを特徴とする請求項１または２記載の遊技球の入賞装置。
【請求項４】
遊技球が打ち出される遊技領域を有する遊技盤を備えている遊技機において、
前記遊技盤には、前記遊技領域に打ち出された遊技球を導入可能な請求項１乃至３の何れか１に記載の遊技球の入賞装置が設けられていることを特徴とする遊技機。
【発明の詳細な説明】
【技術分野】
【０００１】
本発明は、遊技機の入賞装置に関し、特に振分け機構を備えた入賞装置に関する。
【背景技術】
【０００２】
遊技機の遊技領域には、釘の他にいわゆる役物と称される遊技球の動きに変化を与える構造体が設けられている。役物には、例えば、回転運動を利用して遊技球の移動方向を変更せしめる風車、いわゆるチューリップに代表される入賞装置などがある。
【０００３】
入賞装置においては、遊技球の振り分け先を選択する振分け機構を備えているものがある。かかる振分け機構は、複数の通路のうち選択した通路に遊技球を導いて振分けを行っている。遊技球が該振分け機構を介して特定の通路を通過したときに、遊技機は所定数の賞球を払い出したり、特定遊技を開始したり、あるいは遊技盤面に設けられた表示部の遊技画像の変動を開始したりするようになっている。
【０００４】
振分け機構としては、振分けを行う構造体の形状を利用するもの、磁石を利用するもの、モーター等の電気的駆動手段を用いるもの、あるいはこれらを組み合わせたものがある。近年、遊技球の振分け先を電気的に制御するために、電気的駆動手段が多用された振分け機構が主に開発されている。
【０００５】
たとえば、モーター等の電気的駆動手段と構造体とを組み合わせたものとして、回転円盤体を用いた振分け機構が知られている（特許文献１および２参照）。特許文献１に記載の振分け機構は、回転円盤体と、該回転円盤体に向けて遊技球を導く導入部と、該回転円盤体を回転せしめる回転機構と、を有している。該回転円盤体は、円周方向に沿って一列に設けられた複数の第１の球排出孔と、回転中心に設けられた第２の球排出孔と、半径方向に伸長していて縁部から該第２の球排出孔に向かって遊技球を誘導する１筋の誘導溝と、を有している。また、かかる第１および第２の球排出孔に対してそれぞれに対応した第１および第２の通路が設けられている。当該振分け機構は、回転駆動部によって回転円盤体を回転せしめて、かかる回転円盤体に向かって供給された遊技球を第１又は第２の球排出孔に導く。すなわち、当該振分け機構は、回転円盤体を用いて第１又は第２の通路に振分けている。
【０００６】
特許文献２に記載の振分け機構は、鉛直方向に対して回転軸を垂直に配置した回転円盤体と、該回転円盤体の外周を囲むガイド枠と、該回転円盤体を一方の方向に回転させるモーターと、を含んでいる。該ガイド枠は、該回転円盤体の上方に球導入路、該回転円盤体の下方に球落下路、ならびに該回転円盤体の下方部の外側左右位置に第１および第２の球流出路を備えている。該回転円盤体は、縁部から半径方向に沿って刻まれた垂直凹部と、縁部から半径方向に向かった後に折れ曲がって「く」の字状に形成されている第１の曲折凹部と、縁部から半径方向に向かった後に折れ返って「Ｊ」字状に形成されている第２の曲折凹部と、を有している。該回転円盤体は、モーターによる回転運動により、球誘導路を通過した遊技球を垂直凹部、第１または第２の曲折凹部の何れかに収容することができる。一旦収容された遊技球は、収容された凹部の形状に応じて球落下路、第１および第２の球流出路に導かれる。すなわち、垂直凹部に収容された遊技球は第１の球流出路に導かれ、第１の曲折凹部に収容された遊技球は球落下路に導かれ、第２の曲折凹部に収容された遊技球は第２の球流出路に導かれるようになっている。
【０００７】
また、電気的駆動手段と磁石とを組み合わせた振分け機構として、円筒面に永久磁石および電磁石が所定のパターンで備えられている円筒状の誘導回転体を用いたものがある（特許文献３参照）。該振分け機構は、誘導回転体の前面に供給された遊技球を磁力によって吸着せしめて振分けを行っている。換言すれば、該振分け機構の誘導回転体は、該円筒面に向かって供給された遊技球を該円筒面に設けられた磁石の磁力によって吸着して回転方向へと当該吸着遊技球を搬送し、さらに該回転方向に直交する方向に並べられている複数の通路へ該遊技球を導いて、振分けを行っている。
【特許文献１】特開平１０−７６０５４号公報
【特許文献２】実開昭６０−１３８５８２号公報
【特許文献３】特開２００３‐３８７５６号公報
【発明の開示】
【発明が解決しようとする課題】
【０００８】
特許文献１および２に記載の振分け機構は、回転円盤体の形状およびその回転動作に従って遊技球を振分ける構成となっている。また、特許文献３に記載の振分け機構は、誘導回転体に配置されている磁石と誘導回転体の回転動作に従って遊技球を振分ける構成となっている。
【０００９】
すなわち、遊技球が回転円盤体若しくは回転誘導体の上に導かれた時点で、遊技球の動きが回転円盤体若しくは回転誘導体に支配され、さらに振分け先が回転円盤体若しくは回転誘導体によってほぼ決定されている。換言すれば、遊技球が回転円盤体若しくは回転誘導体に到達した後に、遊技球自身の動きによって振分け先が変更されることは、ほとんど発生し得ない。その結果、かかる振分け機構が備えられた遊技機を操作する操作者は、遊技球が振分け先の各通路を通過する前に回転円盤体における遊技球の位置に応じて最終的な振分け先を完全に予想することができてしまうという問題がある。
【００１０】
また、これらの振分け機構において、遊技球の動きが回転円盤体若しくは回転誘導体に支配されることから、遊技球自身の動きによる演出が限定されることとなり、遊技球の動きを楽しませるという遊技機が備えているべき機能が十分に発揮できないという問題もある。
【００１１】
本発明は、上述した問題点が一例として挙げられる課題を解決するためになされたものであり、遊技球自身の運動に応じて振分け結果に変化が生じ得るとともに遊技球の動きによる演出を行うことができる遊技機の入賞装置を提供することを目的としている。
【課題を解決するための手段】
【００１２】
本発明による遊技機の入賞装置は、入賞した遊技球を振り分ける前置振分け機構と、該前置振分け機構の下流に配置されて中央通路を具備する筒状体と該筒状体の側面に植設された複数の突起とを含む最終振分け機構と、該最終振分け機構の下流に設けられた遊技球誘導排出機構と、を含むことを特徴とする。
【発明を実施するための最良の形態】
【００１３】
以下、本発明による遊技機の入賞装置について、添付図面を参照しつつ詳細に説明する。なお、下記実施例は、いわゆる第２種遊技機と称される遊技機について説明しているもののこれに限定されない。
【００１４】
（実施例１）
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。なお、以下説明を簡単にするべく、遊技盤３の遊技領域３ａとされている遊技盤面を正面に据えて見たときを基準にして、前後左右方向および上下方向が定められているものとする。
【００１５】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、遊技機１の右側部に配置されておりかつ遊技者が握りやすいように突設している。操作ハンドル６には、所定の角度範囲内で回動自在な打出調整部７が設けられている。打出調整部７は弾球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合に、遊技球は遊技盤３の遊技領域３ａに打ち出されないようになっている。
【００１６】
遊技機１の背面側には、遊技機１の各種装置を制御する制御装置、遊技球の発射装置、遊技領域３ａから排出された遊技球の球回収装置および遊技者に賞球を払いだす賞球払出装置など（いずれも図示せず）が設けられている。
【００１７】
遊技盤３には、始動口（図示せず）が設けられている。該始動口は、遊技盤３の下部に設けられており、遊技機の遊技状態を変化せしめるトリガーとしての機能を備えている。すなわち、遊技球が該始動口を通過することを契機として、遊技機の遊技状態が変化するようになっている。その他、遊技盤３には、図示しない釘や風車等が設けられている。また、遊技盤３のほぼ中央には、複数の入賞領域を有する入賞装置８（いわゆる特別電動役物）が備えられている。
【００１８】
図２および図３に示す如く、入賞装置８は、当該機構内への遊技球の通過の許否を振り分ける羽根部９を有している。羽根部９は、遊技球が遊技盤３に設けられた始動口（図示せず）を通過することを契機として開閉することとしても良い。羽根部９が開状態にあるとき（図２および図３参照）に、遊技球を入賞装置８内に導くことができる。遊技盤３上に打出された遊技球のうち羽根部９を通過した遊技球は、入賞球となって誘導路１０を介して前置振分け機構１１に導かれる。
【００１９】
前置振分け機構１１は、入賞した遊技球の振分けを行う。前置振分け機構１１は、複数の遊技球通過口（１２ａ，１２ｂ）が設けられた皿状体１２を含んでいる。皿状体１２の中央部はその周縁に比べて窪んでおり、遊技球通過口（１２ａ，１２ｂ）は皿状体１２の中央部（１２ａ）およびその周辺（１２ｂ）に設けられている。
【００２０】
前置振分け機構１１の下流には、中央通路（図示せず）を備えた筒状体１３と、筒状体１３の側面に植設された複数の突起１４と、を含む最終振分け機構１５が配置されている。筒状体１３は垂直方向に伸長しており、該中央通路が筒状体１３の中心軸を貫くように設けられている。また、筒状体１３はその下部の側壁において水平方向へ突出して伸長する経路部１３ａを有しており、かかる経路部１３ａは該中央通路の一部を構成している。該中央通路は、遊技球を導入する導入口１３ｂ及び排出する排出口１３ｃを有している。導入口１３ｂは、筒状体１３の上部において水平方向に広がる開口であり、皿状体１２の中央部に設けられた遊技球通過口１２ａの鉛直下方に配置されている。従って、当該遊技球通過口１２ａを通過した遊技球は、中央通路に導かれる。排出口１３ｃは、経路部１３ｂが伸長している方向に直交する面に広がる開口となっており、中央通路内を転落した遊技球を水平方向に排出する。例えば、図２および図３に示す如く、排出口１３ｃは筒状体１３の前方に向かって開く開口であり、遊技球を前方に向けて排出する。
【００２１】
筒状体１３の側面に設けられた複数の突起１４は、筒状体１３の長手方向に交差する方向に伸長する棒状体である。突起１４は、筒状体１３側の根元部から先端部に向けて僅かに上方に向いている。また、突起１４である棒状体の先端部は、棒状体の長手方向に交差する方向に広がる拡大部１４ａを有している。突起１４は、皿状体１２の中央部の周囲に設けられた遊技球通過口１２ｂの鉛直下方に位置するように筒状体１３を取り囲んで配置されており、当該遊技球通過口１２ｂを通過した遊技球は、突起１４との衝突を繰り返しながら落下する。突起１４と遊技球との衝突において、拡大部１４ａは遊技球の移動方向を規定するガイドとして作用する。すなわち、遊技球が筒状体１３から離れる方向に弾かれた場合、当該遊技球は拡大部１４ａと衝突して筒状体１３に向けて移動しつつ落下し得る。その結果、遊技球は筒状体１３の側面を突起１４に沿って移動する。
【００２２】
最終振分け機構１５の下流には、遊技球誘導排出機構１６が設けられている。遊技球誘導排出機構１６は、筒状体の下部の周縁に広がる案内経路１７と複数の入賞口（１８ａ，１８ｂ）とを含んでいる。案内経路１７は、奥側から手前側（後方から前方）にかけて全体的に下方に傾斜し、かつ排出口１３ｃの近傍から前方へ向けて伸長している谷部１７ａを有している。当該入賞口群は筒状体１３の前方でありかつこれよりも低い位置に配置されており、各入賞口は上向きに開いている。また当該入賞口群は、２つの一般入賞口１８ａと一般入賞口１８ａの間に挟まれる位置に配置された特定入賞口１８ｂとからなっており、案内経路１７の谷部１７ａの伸長方向に交差する方向において一列に配置されている。特定入賞口１８ｂは、案内経路１７の谷部１７ａの伸長方向の延長上に位置している。
【００２３】
一般入賞口１８ａおよび特定入賞口１８ｂはそれぞれ一般入賞球排出通路１９ａおよび特定入賞球排出通路１９ｂと連通しており、一般入賞球排出通路１９ａには一般入賞球検知センサ（図示せず）が設けられ、特定入賞球排出通路１９ｂには特定入賞球検知センサ（図示せず）が設けられている。該一般入賞球検知センサおよび該特定球検知センサは、遊技機１の制御装置（図示せず）に球検知信号を供給する。
【００２４】
遊技球が一般入賞球排出通路１９ａを通過すると、該一般入賞球検知センサは球検知信号を該制御装置に供給し、該制御装置は賞球払出装置（図示せず）に払出信号を供給する。該賞球払出装置は、該払出信号に応じて、所定数の賞球を遊技者に払い出す。
【００２５】
遊技球が特定入賞球排出通路１９ｂを通過すると、該特定入賞球検知センサは球検知信号を該制御装置に供給し、該制御装置は、遊技者に有利な特定遊技状態（大当り遊技状態とも言う）が提供されるように遊技機１を駆動せしめる。ここで特定遊技状態とは遊技機が短時間に大量の賞球を払い出させるチャンスを遊技者に付与している状態をいい、例えば、羽根部９を複数回にわたって開閉させて遊技球を入賞装置８内へ導きやすくしている状態をいう。羽根部９を開閉させる場合、該制御装置は、羽根部開閉機構（図示せず）に開閉駆動信号を供給する。
【００２６】
次に、上記の如き構成の入賞装置８における遊技球の動きについて説明する。羽根部９が開状態（図２および図３）にあるときに、入賞装置８内に導かれた遊技球は、誘導路１０を介して前置振分け機構１１に導かれる（図３中、太線矢印で示す）。前置振分け機構１１は、遊技球の動きに応じて皿状体１２に設けられた複数の遊技球通過口（１２ａ，１２ｂ）の何れかに遊技球を導く。
【００２７】
皿状体１２の中央部の遊技球通過口１２ａを通過した遊技球は、筒状体１３の導入口１３ｂを介して中央通路内に導かれて落下し、排出口１３ｃから筒状体１３の外部へと排出される。排出された遊技球は、案内経路１７の谷部１７ａに沿って前方へと進行し、遊技球誘導排出機構１６の入賞口群（１８ａ，１８ｂ）に向かう。当該入賞口群のうち特定入賞口１８ｂが谷部１７ａの延長上に配置されていることから、中央通路を通過したほとんどの遊技球は、特定入賞口１８ｂに導かれる。すなわち、中央通路を通過する遊技球の経路は、遊技機の操作者（遊技者）に特定遊技状態を付与し易い経路（いわゆる高確率経路）となる。なお、排出口１３ｃから排出された遊技球は、その運動状態に応じて案内経路１７の谷部１７ａから離れて前方に進行し、稀に一般入賞口１８ａに導かれる。
【００２８】
一方、皿状体１２の中央部の周辺に設けられた遊技球通過口１２ｂを通過した遊技球は、筒状体１３の側面に植設された突起１４と衝突しつつ落下する。筒状体１３の外側を落下した遊技球は、案内経路１７上を前方に向けて転動する。ここで、当該遊技球は、案内経路１７の谷部１７ａから離れた位置に供給される場合がほとんどであることから、一般入賞口１８ａに導かれ易くなっており、稀に特定入賞口１８ｂに導かれる。すなわち、筒状体１３の外側を落下する遊技球の経路は、遊技者に特定遊技状態を付与し難い経路（いわゆる低確率経路）となる。
【００２９】
上記の如く、遊技球が高確率経路若しくは低確率経路を通過しても、最終的な遊技球の振分け先が遊技球の運動状態によって決定される故、遊技球の振分け結果を完全に予測することは困難になる。また、遊技球の動きによって振分け結果に対する意外性を遊技者に提供することができる。
【００３０】
また、上記の如き入賞装置８において、筒状体１３の外側を落下する遊技球は筒状体１３の側面の突起１４に衝突する故、当該遊技球は単なる落下運動とは異なる動きとなる。すなわち、入賞装置８内における遊技球の動きによる演出を提供することができる。
【００３１】
さらに、上記の如き構成により、筒状体１３の内部と外部とによって、高確率経路と低確率経路とが提供され、さらにこれらの経路を立体的にすることができる故、遊技の興趣が高まる。
【００３２】
さらにまた、最終振分け機構１５を立体的にすることによって、例えば、植物を連想せしめる形状や表示塔の形状などの実在する具象物を連想せしめる形状を採用することができる。その結果、最終振分け機構による演出的効果も期待できる。
【００３３】
なお、筒状体１３に設けられている突起１４の形状は、棒状に限定されるものではなく、例えば突条であっても良い。また、突起１４は筒状体１３の周囲に螺旋状に配置されていても良い。突起を突条若しくは螺旋状とすることによって、筒状体の側部を落下する遊技球を突起に沿って移動させることができて、例えば案内経路１７の右側若しくは左側に向けて遊技球を導くことができる。
【００３４】
（実施例２）
入賞装置８の筒状体１３は、その中心軸の周りに回動自在であることとしても良い。例えば、図４および図５に示す如く、筒状体１３の中心軸から前方に向かう方向を中心として、左右に揺動することとしても良い。入賞装置８は、筒状体１３を揺動回転せしめる回転駆動手段（図示せず）を有する。該回転駆動手段は、モーター等の回転運動を提供する手段を含み、かつ遊技機の制御装置（図示せず）に制御されている。該制御装置は抽選結果などの所定の条件に応じて回転駆動信号を該回転駆動手段に供給し、該回転駆動手段は、該回転駆動信号を受信して、当該信号に応じて筒状体１３を揺動回転せしめる。その他の構成は、上記した実施例１の入賞装置８とほぼ同様である。なお、該回転駆動手段は筒状体１３を周期的に揺動回転せしめることとしても良い。
【００３５】
かかる構成の入賞装置８において、筒状体１３が揺動回転することによって、排出口１３ｃから排出される遊技球の向きが変更される。図４に示す如く、筒状体１３が反時計回りに回転して排出口１３ｃが谷部１７ａに対して右方向に向いている場合、中央通路を通過した遊技球は、案内経路１７の右側に向けて供給され、案内経路１７の谷部１７ａよりも右側を前方に移動する（図４（ｂ）中、太線矢印参照）。当該遊技球は、案内経路１７の前方に配置されている入賞口群（１８ａ，１８ｂ）のうち、最も右側に配置されている一般入賞口１８ａを通過し易く、稀に特定入賞口１８ｂを通過する。すなわち、筒状体１３が揺動することによって、中央通路を通過する遊技球の経路が、遊技者に特定遊技状態を付与し難い経路（いわゆる低確率経路）となる。
【００３６】
同様に、図５に示す如く、筒状体１３が時計回りに回転して排出口１３ｃが谷部１７ａに対して左方向に向いている場合、中央通路を通過した遊技球は、案内経路１７の左側に向けて供給され、案内経路１７の谷部１７ａよりも左側を前方に移動する。当該遊技球は最も左側に配置されている一般入賞口１８ａを通過し易く、中央通路を通過する遊技球の経路が低確率経路となる。
【００３７】
以上のように、筒状体１３の回転によって、低確率経路と高確率経路との切り替えを行うことができることから、遊技球の振分け結果を筒状体１３の回転によって変更することができる。換言すれば、新たな遊技球の経路を筒状体１３の回転によって提供することができて、中央通路を通過する遊技球の動きに意外性を付与することができる。また、遊技球の経路が変化することから、遊技球の最終的な振分け先の予測を困難にすることができる。
【００３８】
（実施例３）
入賞装置は、筒状体の中央通路を選択的に堰き止める堰き止め手段を含むこととしても良い。堰き止め手段は、中央通路の排出口を塞ぐ若しくは中央通路の途中を遮断する堰き止め部材を含むこととしても良い。その他の構成は、上記した実施例とほぼ同様の構成であることとしても良い。
【００３９】
例えば図６乃至８に示す如く、かかる入賞装置８において、筒状体１３は中央通路に連通する横穴１３ｄを有し、堰き止め手段２０は、横穴１３ｄに突入自在の堰き止め部材２０ａと、堰き止め部材２０ａを横穴１３ｄに突入せしめる駆動機構２０ｂと、を含むこととしても良い。横穴１３ｄは、筒状体１３の中央よりもやや下方に設けられている。堰き止め部材２０ａは、板状体である。駆動機構２０ｂは、堰き止め部材２０ａを横穴１３ｄに挿入若しくは横穴１３ｄから送出せしめる手段（図示せず）を有しており、例えば図６乃至８に示す如く、堰き止め部材２０ａを揺動せしめる揺動手段（図示せず）を備えている。駆動機構２０ｂは、遊技機１の制御装置（図示せず）によって制御されており、該制御装置は抽選結果などの所定の条件に応じて駆動信号を供給する。かかる駆動信号を受信した駆動機構２０ｂは、該駆動信号に対応した動作を行う。例えば、駆動機構２０ｂは、堰き止め部材２０ａを周期的に揺動せしめる、若しくは堰き止め部材２０ａを横穴１３ｄに挿入した状態で一定時間停止させることができる。
【００４０】
堰き止め部材２０ａは、筒状体１３内で遊技球を堰き止めて、中央通路を通過する中央通路を通過する遊技球の流れに変化を与えることができる。特に、堰き止め手段２０は、中央通路内に遊技球を貯留し、かつ貯留された複数の遊技球を一斉に排出せしめることができる故、遊技球の動きによる演出が可能となる。
【００４１】
なお、堰き止め部材２０ａは筒状体１３に設けられた突起１４であっても良い。例えば突起が棒状体である場合、棒状体が中央通路に向けて出入りすることとしても良い（図示せず）。また、図示しないものの、堰き止め部材は、筒状体の外部から挿入される若しくは送出され場合に限定されず、筒状体内に設けられていても良い。
【００４２】
変形例として、堰き止め部材２０ａは、横穴１３ｄに挿入される先端部に磁石（図示せず）を有することとしても良い。当該磁石に遊技球を吸着させて、遊技球を中央通路内に留めておくことができる。
【００４３】
また更なる変形例として、堰き止め部材の先端部に磁石が取り付けられている場合において、筒状体の横穴は、遊技球が通過できる大きさであっても良い（図示せず）。横穴に挿入された堰き止め部材の磁石に遊技球が吸着している場合、駆動機構によって堰き止め部材が横穴から取り出されると、堰き止め部材の移動に伴って、当該吸着遊技球も横穴から外部に取り出される。すなわち、遊技球の落下とは異なる遊技球の動きを堰き止め部材の移動によって提供することができる。換言すれば、新たな遊技球の経路が提供される。以上のように、遊技球の経路が増加することによって、遊技球の振分け結果の予測をより困難にすることができると共に、堰き止め部材の移動および遊技球の移動による演出を提供することができる。
【００４４】
（実施例４）
入賞装置の筒状体は互いに別体でありかつ互いに揺動自在な上部筒体と下部筒体とからなり、上部筒体を下部筒体に対して揺動せしめる揺動機構を含むこととしても良い。例えば、図９および図１０に示す如く、筒状体１３は上部筒体１３ｅと下部筒体１３ｆとからなり、上部筒体１３ｅおよび下部筒体１３ｆは筒状体１３の長手方向に直交する軸（図示せず）を有するヒンジ等の結合部材（図示せず）によって連結されている。上部筒体１３ｅは揺動機構（図示せず）によって該軸を中心として揺動自在となっており、上部筒体１３ｅが下部筒体１３ｆに対して傾いて倒れ得ることとしても良い。該揺動機構は、遊技機１の制御装置（図示せず）によって制御され、該制御装置は所定の入賞口を遊技球が通過する若しくは抽選結果に応じて揺動信号を供給する。当該揺動信号を受信した該揺動機構は、上部筒体１３ｅを下部筒体１３ｆに対して傾ける（図１０）、若しくは上部筒体１３ｅを下部筒体１３ｆの上に重ねて筒状体１３とする（図９）。
【００４５】
図１０に示す如く、上部筒体１３ｅが倒れている場合、前置振分け機構１１の皿状体１２の遊技球通過口（１２ａ，１２ｂ）を通過した遊技球は、中央通路を通過し難く、筒状体１３の外側を通過し易い。また、上部筒体１３ｅを通過している途中の遊技球についても、これが倒れることによって、下部筒体１３ｆに到達し難くなる。すなわち、上部筒体１３ｅが倒れることによって、上部筒体１３ｅを通過中の遊技球が筒状体１３の外部に排出される。このように、上部筒体１３ｅが倒れることによって、中央通路に筒状体１３の導入口１３ｂから排出口１３ｃに至る経路とは別の新たな経路を提供することができる故、遊技球の振り分け結果を予測することが困難となる。
【００４６】
（実施例５）
なお、入賞装置は、上記した実施例３および実施例４に記載された構成を組み合わせたものであっても良い。
【００４７】
すなわち、図１１及び図１２に示す如く、入賞装置８は上部筒体１３ｅおよび下部筒体１３ｆからなる筒状体１３と、筒状体１３の中央通路に連通する横穴１３ｄと、横穴１３ｄに突入自在の堰き止め部材２０ａおよび堰き止め部材２０ａを横穴１３ｄに突入せしめる駆動機構２０ｂを有する堰き止め手段２０と、を含むこととしても良い。横穴１３ｄは、例えば図１１に示す如く、上部筒体１３ｅと下部筒体１３ｆとが接近して筒状体１３となった場合に、上部筒体１３ｅと下部筒体１３ｆとの間に形成される。また、横穴１３ｄは、図示しないものの下部筒体１３ｆに設けられていることとしても良い。
【００４８】
かかる構成の入賞装置８において、堰き止め部材２０ａが横穴１３ｄに挿入された場合において、上部筒体１３ｅが下部筒体１３ｆに対して傾いて倒れることとしても良い（図１２）。堰き止め部材２０ａが横穴１３ｄに挿入されると、筒状体１３内に遊技球を貯留することができて、その後、上部筒体１３ｅが倒れることによって、筒状体１３内の当該貯留遊技球を筒状体１３の外側へ排出することができる。すなわち、中央通路内に貯留された遊技球を筒状体１３の途中から一度に排出することができる。排出された遊技球は案内経路１７上を自由に移動し、振分け結果を予測することが困難となる。また、一度に遊技球を排出することができる故、遊技球を速やかに排出することができる。
【００４９】
また、上記の如き貯留遊技球による演出は堰き止め部材２０ａを横穴１３ｄに挿入する動き及び上部筒体１３ｅが倒れる動きに連動して提供されることから、これらの部材（１３ｄ，２０ａ）の動きによる演出も行うことができる。特に、図中に示すように、筒状体１３が木を連想する形状であり、かつ堰き止め部材２０ａが斧を連想する形状とすることによって、斧状の堰き止め部材２０ａが筒状体１３の横穴１３ｄに挿入されることによって、木が切り倒されるという演出を行うことができる。換言すれば、当該入賞装置８は、遊技球を振分ける振分け機能以外にも、木こりによる木の切り出しを連想させる演出等も行うことができて、遊技に寄与することができる。
【００５０】
（実施例６）
入賞装置の前置振分け機構は、中央通路に至る経路を選択的に遮断する遮断手段を備えていることとしても良い。図１３に示す如く、前置振分け機構１１が皿状体１２を含み、皿状体１２の中央部の遊技球通過口１２ａが筒状体１３の中央通路に至る経路となっている場合、中央部の遊技球通過口１２ａの上方に遮断手段２１が設けられていることとしても良い。遮断手段２１は、上下に移動できる可動部材２１ａと、可動部材２１ａを選択的に位置決めする駆動部（図示せず）と、を有している。
【００５１】
該駆動部は、ソレノイド等の線形移動手段からなり、遊技機の制御装置（図示せず）によって制御されている。該制御装置は、抽選結果等の条件に応じて、該駆動部に向けて遮断信号を供給する。該遮断信号を受信した該駆動部は、該遮断信号の種類に応じて、可動部材２１ａを上方（図１３（ａ））もしくは下方（図１３（ｂ））に位置決めする。その他の構成は、上述した実施例における入賞装置８とほぼ同様であることとしても良い。
【００５２】
可動部材２１ａが下方に配置されている場合（図１３（ｂ））、皿状体１２の中央部の遊技球通過口１２ａは遮断されて、遊技球は当該開口を通過できない。かかる場合、遊技球は皿状体１２の中央部の周縁に設けられている遊技球通過口１２ｂからのみ最終振分け機構１５に至ることとなる。すなわち、遊技球は筒状体１３の外側の経路（低確率経路）を通過することとなる。
【００５３】
一方、可動部材が上方に配置されている場合（図１３（ａ））、皿状体１２の中央部の遊技球通過口１２ａは開放され、遊技球は当該開口を通過できる。かかる場合において、遊技球は筒状体１３の中央通路若しくは筒状体１３の外側の何れかに振分けられる。
【００５４】
以上のように、前置振分け機構１１における振分け結果を、遮断手段２１の動きによって変更することができて、遊技の興趣を高めることができる。
【００５５】
（その他の変形例）
前置振分け機構は、複数の遊技球通過口を有する皿状体によって振分けを行っているものの、これに限定されず、遊技球を筒状体の内部と外部とに振分ける機構であればこれに限定されない。
【００５６】
また、上記の如き入賞装置において、最終振分け機構の筒状体の後方に、液晶表示装置等の図柄可変表示手段を配置しても良い。入賞装置の遊技状態に応じた画像を可変表示することができる故、当該入賞装置における遊技球の動きによる演出と関連付けて表示演出を行うことができて、遊技の興趣を高めることができる。
【００５７】
さらに、堰き止め手段は、最終振分け機構の筒状体に対して、近接離間することとしても良い。例えば、図１４および図１５に示す如く、堰き止め手段２０が筒状体に対して、離間する（図１４（ａ），図１５（ａ））若しくは接近する（図１４（ｃ），図１５（ｃ））。堰き止め手段２０が筒状体１３から離間した場合、入賞装置８を構成する枠に設けられた収容部２２に収容される。堰き止め手段２０は堰き止め部材２０ａおよび駆動機構２０ｂを移動せしめる移動機構（図示せず）を備えており、該移動機構は遊技機１の制御装置（図示せず）によって制御されている。該制御装置は、遊技球が図示しない所定の入賞口を通過するなどの所定の条件を満たすことによって、該移動機構に移動信号を供給する。該移動信号を受信した該移動機構は、堰き止め部材２０ａおよび駆動機構２０ｂを移動せしめる。堰き止め部材２０ａは中央通路を通過する遊技球の流れに変化を与える機能を有していることから、堰き止め手段が筒状体に対して近接離間することによって、遊技球の動きに変化が生じ得ることを遊技者に予告させることができる。その結果、堰き止め手段の移動による演出が可能となり、遊技の興趣を高めることができる。
【図面の簡単な説明】
【００５８】
【図１】本発明による入賞装置を備えた遊技機の概略正面図である。
【図２】本発明による遊技機の入賞装置の概略正面図である。
【図３】本発明による遊技機の入賞装置の概略斜視図である。
【図４】本発明による遊技機の入賞装置の変形例を示す概略正面図（ａ）及            び概略斜視図（ｂ）である。
【図５】本発明による遊技機の入賞装置の変形例を示す概略正面図（ａ）及            び概略斜視図（ｂ）である。
【図６】本発明による遊技機の入賞装置の変形例を示す概略正面図（ａ）及            び概略斜視図（ｂ）である。
【図７】本発明による遊技機の入賞装置の変形例を示す概略正面図（ａ）及            び概略斜視図（ｂ）である。
【図８】本発明による遊技機の入賞装置の変形例を示す概略正面図（ａ）及            び概略斜視図（ｂ）である。
【図９】本発明による遊技機の入賞装置の変形例を示す概略正面図である。
【図１０】本発明による遊技機の入賞装置の変形例を示す概略正面図（ａ）            及び概略斜視図（ｂ）である。
【図１１】本発明による遊技機の入賞装置の変形例を示す概略正面図である            。
【図１２】本発明による遊技機の入賞装置の変形例を示す概略斜視図である            。
【図１３】本発明による入賞装置の変形例の動作を示す概略正面図である。
【図１４】本発明による入賞装置の変形例の動作を示す概略正面図である。
【図１５】本発明による入賞装置の変形例の動作を示す概略斜視図である。
【符号の説明】
【００５９】
１  遊技機
８  入賞装置
９  羽根部
１０  誘導路
１１  前置振分け機構
１２  皿状体
１２ａ，１２ｂ  遊技球通過口
１３  筒状体
１３ａ  経路部
１３ｂ  導入口
１３ｃ  排出口
１３ｄ  横穴
１３ｅ  上部筒体
１３ｆ  下部筒体
１４  突起
１４ａ  拡大部
１５  最終振分け機構
１６  遊技球誘導排出機構
１７  案内経路
１７ａ  谷部
１８ａ  一般入賞口
１８ｂ  特定入賞口
１９ａ  一般入賞球排出通路
１９ｂ  特定入賞球排出通路
２０  堰き止め手段
２０ａ  堰き止め部材
２０ｂ  駆動機構
２１  遮断手段
２１ａ  可動部材
２２  収容部
【図１】
0004557873.tif 000002
【図２】
0004557873.tif 000003
【図３】
0004557873.tif 000004
【図４】
0004557873.tif 000005
【図５】
0004557873.tif 000006
【図６】
0004557873.tif 000007
【図７】
0004557873.tif 000008
【図８】
0004557873.tif 000009
【図９】
0004557873.tif 000010
【図１０】
0004557873.tif 000011
【図１１】
0004557873.tif 000012
【図１２】
0004557873.tif 000013
【図１３】
0004557873.tif 000014
【図１４】
0004557873.tif 000015
【図１５】
0004557873.tif 000016